(57)【要約】      （修正有）【課題】既存のラックをなす周縁壁部を構成する上方水平線材に引掛けると同時に、下方水平線材を下方部より押圧支持し、フックとしての機能を持たせるとともに、のぼり用のポール等を強固に固定できる金属ラック用クランプを提供する。【解決手段】クランプ体ａの一側方部の上辺に、ラックＲを構成する周縁壁部１２の中、上方部の上方水平線材１３に引掛ける引掛け部２が形成され、且つクランプ体ａの一側方部の下辺に、下方部の下方水平線材１４を押圧支持する押圧支持部３を取着せしめると共に、クランプ体ａの上辺部に上向き開口部４を有する上方引掛け部を形成した。【選択図】図９
0003208253.tif 000002
【実用新案登録請求の範囲】
【請求項１】
クランプ体の一側方部の上辺に、ラックを構成する周縁壁部の中、上方部の上方水平線材に引掛ける引掛け部が形成され、且つ前記クランプ体の一側方部の下辺に、下方部の下方水平線材を押圧支持する押圧支持部を取着せしめると共に、前記クランプ体の上辺部に上向き開口部を有する上方引掛け部を形成せしめることを特徴とする金属ラック用クランプ。
【請求項２】
前記クランプ体の前記上方引掛け部の下方部に、ねじ付き締付けボルトが螺入する螺孔を穿設せしめることを特徴とする、請求項１に記載の金属ラック用クランプ。
【請求項３】
前記クランプ体が板状にて形成せしめられていることを特徴とする、請求項１又は２に記載の金属ラック用クランプ。
【請求項４】
前記クランプ体の押圧支持部が、前記クランプ体の下辺に、前記クランプ体の垂直面に対し、直角状に取着せしめられている板状取付け部に穿設の螺孔に螺着せしめられていることを特徴とする、請求項１又は２又は３に記載の金属ラック用クランプ。
【請求項５】
前記押圧支持部の取付け位置が、前記クランプ体の中心線よりも稍外側部に設けられていると共に、前記上向き開口部を有する前記上方引掛け部の下方部に穿設の螺孔が、同一軸線上に形成せしめられていることを特徴とする、請求項１又は２又は３又は４に記載の金属ラック用クランプ。
【請求項６】
前記クランプ体に嵌脱自在に立設せしめるポールにおいて、前記ポールを構成する下方端部に、前記クランプ体の上向き開口部に引掛け係止する上方係止部を形成せしめ、前記上方係止部の下辺部に前記クランプ体の螺孔に螺入するねじ付き締付けボルトに嵌挿する下向き嵌挿部を形成せしめることを特徴とする、請求項１又は２又は３又は４又は５に記載の金属ラック用クランプ。
【考案の詳細な説明】
【技術分野】
【０００１】
本考案は、金属ラック用クランプの分野に関するものである。
【背景技術】
【０００２】
従来、既存のラックに関する増設用ラックが、特許第４３５４１６３号公報（発明の名称：増設用ラック）に開示されている（特許文献１）。
【０００３】
前記した従来開示の増設用ラックは、既存のラックの棚板と同じ高さに取り付けられる増設用棚板と、当該増設用棚板の一方に設けられた支持用筒部と、当該支持用筒部が固定されて上記増設用棚板を既存のラックの棚板と同じ高さで支持する支柱と、上記増設用棚板の他方に設けられた状態で既存のラックの棚板に引っ掛けられて増設用棚板を既存のラックの棚板と同じ高さで支持するフックとを備えた構成のものである。
【０００４】
従って、前記特許文献１のラックを構成するフック１６は、その図１等に図示されているように、Ｓ字型に湾曲して形成されているので、既存のラックの棚板を構成する周縁壁部１９の上方水平線材に引掛け、他方下方水平線材を押圧支持することができない構造である。
【０００５】
さらに、前記した従来開示のラックを構成するフック１６は、のぼり用のポール等を確実にして、且つ強固に固定することができない構造である。
【先行技術文献】
【特許文献】
【０００６】
【特許文献１】特許第４３５４１６３号公報
【考案の概要】
【考案が解決しようとする課題】
【０００７】
上記特許文献１に記載された増設用ラックは、既存のラックを構成する周縁壁部を構成する上方水平線材に引掛けると同時に下方水平線材を下方部より押圧支持することができない構造であった。
【０００８】
さらに、特許文献１に開示された増設用ラックは、既存のラックを構成する周縁壁部を構成する上方水平線材に引掛けると同時に下方水平線材を下方部より押圧支持しながら、のぼり用ポール等を固定することができない構造であった。
【０００９】
しかるに、本考案は、既存のラックを構成する周縁壁部を構成する上方水平線材に引掛けると同時に、下方水平線材を下方部より押圧支持し、フックとしての機能を持たせることができる構造をしている。
【００１０】
さらに本考案は、のぼり用ポールを確実且つ迅速に、しかも強固に固定することができる構造としている。
【００１１】
さらに、本考案の金属ラック用クランプは、前記のようにのぼり用ポールを固定した後、取外すときは、クランプ体の螺孔に螺着せしめている締付けボルトを螺戻すれば、極めて簡単に取外しができる構造としている。
【課題を解決するための手段】
【００１２】
課題を解決するための手段として、請求項１に記載の考案は、クランプ体ａの一側方部１の上辺に、ラックＲを構成する周縁壁部１２の中、上方部の上方水平線材１３に引掛ける引掛け部２が形成され、且つ前記クランプ体ａの一側方部１の下辺に、下方部の下方水平線材１４を押圧支持する押圧支持部３を取着せしめると共に、前記クランプ体ａの上辺部に上向き開口部４を有する上方引掛け部５を形成せしめることを特徴とする金属ラック用クランプである。
【００１３】
請求項２に記載の考案は、前記クランプ体ａの前記上方引掛け部５の下方部に、ねじ６ａ付き締付けボルト６が螺入する螺孔７を穿設せしめることを特徴とする請求項１に記載の金属ラック用クランプである。
【００１４】
請求項３に記載の考案は、前記クランプ体ａが板状にて形成せしめられていることを特徴とする請求項１又は２に記載の金属ラック用クランプである。
【００１５】
請求項４に記載の考案は、前記クランプ体ａの押圧支持部３が、前記クランプ体ａの下辺に、前記クランプ体ａの垂直面に対し、直角状に取着せしめられている板状取付け部８に穿設の螺孔９に螺着せしめられていることを特徴とする請求項１又は２又は３に記載の金属ラック用クランプである。
【００１６】
請求項５に記載の考案は、前記押圧支持部３の取付け位置が、前記クランプ体ａの中心線よりも稍外側部に設けられていると共に、前記上向き開口部４を有する前記上方引掛け部５の下方部に穿設の螺孔７が、同一軸線上に形成せしめられていることを特徴とする請求項１又は２又は３又は４に記載の金属ラック用クランプである。
【００１７】
請求項６に記載の考案は、前記クランプ体ａに嵌脱自在に立設せしめるポールｂにおいて、前記ポールｂを構成する下方端部に、前記クランプ体ａの上向き開口部４に引掛け係止する上方係止部１０を形成せしめ、前記上方係止部１０の下辺部に前記クランプ体ａの螺孔７に螺入するねじ６ａ付き締付けボルト６に嵌挿する下向き嵌挿部１１を形成せしめることを特徴とする請求項１又は２又は３又は４又は５に記載の金属ラック用クランプである。
【考案の効果】
【００１８】
本考案は上述のとおりの構成なので、既存のラックの周縁壁部を構成する２本の上方水平線材と下方水平線材に対し、上方水平線材に引掛けると同時に、下方水平線材を下方部より押圧支持することができるので、小物類の取手部分や紐類を引掛けることができる。
【００１９】
さらに、本考案は、前記のように既存のラックを構成する周縁壁部の上方水平線材と下方水平線材に引掛けると同時に、押圧支持してしっかりと固定せしめることができると共に、のぼり用ポールの下方端部に上方係止部と下向き嵌挿部を形成せしめることによって、のぼり用ポールを確実にして強固に固定できる利点がある。
【００２０】
また本考案は、既存のラックのサイズがメーカー毎に異なっていても対応できるように、ラックを構成する周縁壁部の中、上方部の上方水平線材に引掛ける引掛け部をいびつな円弧形状にて形成せしめているので、何れのサイズにも対応できる利点がある。
【００２１】
加えて、本考案の金属ラック用クランプは、のぼり用ポールをクランプ体に対し着脱自在にセットすることができるので、従来のラック用フックよりも極めて有益性が著増した。
【図面の簡単な説明】
【００２２】
【図１】本考案金属ラック用クランプを構成するクランプ体の正面図である。
【００２３】
【図２】同図１の金属ラック用クランプの平面図である。
【００２４】
【図３】図１の金属ラック用クランプの右側面図である。
【００２５】
【図４】同金属ラック用クランプを構成するポールの正面図である。
【００２６】
【図５】同図４のポールの斜視図である。
【００２７】
【図６】同クランプ体とポールとの組立て前の一部切欠正面図である。
【００２８】
【図７】同クランプ体とポールが組立てられた状態の正面図である。
【００２９】
【図８】同クランプ体とポールが組立てられた状態の背面図である。
【００３０】
【図９】同金属ラック用クランプがラックの周縁壁部の上方水平線材と下方水平線材に引掛け係止された状態の斜視図である。
【００３１】
【図１０】同ポールを嵌着せしめない金属ラック用クランプの上方引掛け部に吊下げ棒を水平状に引掛け使用せしめている状態の斜視図である。
【００３２】
【図１１】同金属ラック用クランプとしてポールをクランプ体にセットし、前記ポールに吊り棒をセットした状態の一部切欠斜視図である。
【００３３】
【図１２】同ラックに２個の金属ラック用クランプに２本のポールをセットし、前記左右両サイドのポールに吊下げ棒をセットせしめた状態の一部切欠斜視図である。
【００３４】
【図１３】同金属ラック用クランプをラックの周縁壁部に取付けた状態の斜視図である。
【００３５】
【図１４】同ラックの周縁壁部の水平線材に引掛け係止せしめた金属ラック用クランプに引掛け固定したポールに吊下げ棒を嵌挿し、前記吊下げ棒にポスターを吊下げた状態の斜視図である。
【考案を実施するための最良の形態】
【００３６】
本考案の実施に関する実施例は、共通しているので、一括して以下のとおり説明する。
【００３７】
図において、ａは本考案の金属ラック用クランプＡを構成する構成部材のクランプ体であり、所定の厚さを有する金属製板材をもって構成されている。
【００３８】
前記クランプ体ａは、図示されているように、切欠状の一側方部１の内側にして、且つ上辺に凹ませた引掛け部２が形成されている。そしてこの引掛け部２は、既存のラックＲを構成する周縁壁部１２の中、上方部の上方水平線材１３に引掛けることができる機能を有している。さらに、前記引掛け部２は、いびつな円弧形状にて形成されている。そのため各メーカー毎にサイズが異なるラックＲの周縁壁部１２を構成する上方水平線材１３と所定の間隔おいて設けられている下方部の下方水平線材１４に対応できるようにしたものである。
【００３９】
図において、２ａは前記いびつな円弧形状をして引掛け部２を形成せしめることによって形成された突出部である。
【００４０】
前記クランプ体ａの切欠状となっている一側方部１は、既存のラックＲを構成する周縁壁部１２の両方の水平線材１３、１４が嵌り易ければ、直線状以外の形状でも良いので図面図示の形状に限定するものではない。
【００４１】
図において、３は前記クランプ体ａの一側方部１の下辺に設けられた既存のラックＲを構成する周縁壁部１２の下方部の下方水平線材１４を通常下方より押圧支持する押圧支持部であって、この押圧支持部３は本考案の金属ラック用クランプＡを構成する主要な構成部材である。
【００４２】
さらに前記押圧支持部３の具体的な構成について説明する。
【００４３】
前記押圧支持部３は、前記クランプ体ａの下方部にして、且前記クランプ体ａの板状の垂直面に対し、直角状に取着せしめられた板状取付け部８に穿設せしめられた螺孔９に螺着すると共に、螺着すると前記押圧支持部３は、ねじ３ｂ付きボルト３ａの頭部に螺着せしめた袋ナット３ｃを上方にして、ねじ廻し部３ｄが下方に位置し、さらに前記引掛け部２よりも若干外側方に位置した状態で前記引掛け部２と対向状に螺着されている。
【００４４】
前記押圧支持部３が、前記引掛け部２より若干外側方に位置せしめた状態で螺孔９に螺着しているので、前記ラックＲの下方水平線材１４に対し図面図示のように、下方より前記袋ナット３ｃが下方水平線材１４の外側面に当接し、押圧支持すると、クランプ体ａが確実に引掛り、離脱したりする恐れがない利点がある。
【００４５】
さらに前記押圧支持体３の上方に螺着の袋ナット３ｃの頭部は、丸味を持たせて形成されているので、前記袋ナット３ｃが前記下方水平線材１４の外側面に当接しても損傷しない。
【００４６】
図において、５は前記クランプ体ａの上辺部より下辺部にかけて形成せしめた開口部４を有する上方引掛け部であって、後述する広告宣伝用の貼り紙、はり札、ポスターの類を吊り下げるポールｂの下方部に形成せしめた引掛け係止する上方係止部１０が嵌挿できる形状をしている。
【００４７】
さらに前記ポールｂの下方部には、前記上方係止部１０よりも下方部に下向き嵌挿部１１が形成されている。前記下向き嵌挿部１１は、前記クランプ体ａの上辺部に形成せしめられた上方引掛け部５の下方部に穿設した螺孔７に螺入するねじ６ａ付きの締付けボルト６に嵌挿できるように形成されている。
【００４８】
前記ポールｂの下方部に形成された上方係止部１０と下向き嵌挿部１１は、図面に図示されているように、前記クランプ体ａの上方引掛け部５内に上方係止部１０が嵌り込んでいるときは、ポールｂの下方部の下向き嵌挿部１１が、ねじ６ａ付きの締付けボルト６に嵌り込んでいる。
【００４９】
図において、１５はポールｂの上方部に設けられた吊下げ棒ｃを挿入する嵌挿孔である。
【００５０】
図において、１６はポールｂの上面部より前記ポールｂの嵌挿孔１５にかけて穿設せしめられた雌ねじ孔１５ａに螺入し、且つ前記嵌挿孔１５に挿入した前記吊下げ棒ｃを固定するための上方締付け具である。
【００５１】
図において、１７は前記ラックＲの上方水平線材１３と下方水平線材１４の間に設けられた補強枠である。
【００５２】
図において、１８は前記ラックＲを構成する支柱である。
【００５３】
図において、１９は前記吊下げ棒ｃに吊下げられたポスターである。
【００５４】
図において、２０は前記ポスター１９を止めているクリップである。
【００５５】
（使用方法）
本考案の金属ラック用クランプＡの使用の一例を説明すると以下のとおりである。
【００５６】
第１の使用例としては、既存のラックＲを構成する周縁壁部１２の中の上方部の上方水平線材１３に、前記クランプ体ａを上方水平線材１３の軸線方向に対し直角状に前記クランプ体ａの引掛け部２を引掛けてやる。
【００５７】
その際前記クランプ体ａの引掛け部２がいびつな円弧形状に形成されているので、メーカー毎にサイズが異なるラックＲの上方水平線材１３であっても、対応して確実に嵌込んで十分に引掛け機能を発揮できる構造を有している。
【００５８】
前記のようにして前記上方水平線材１３に対し前記クランプ体ａの引掛け部２が引掛り係止されたら、前記クランプ体ａの下辺に取着されている押圧支持部３を構成しているねじ廻し部３ｄを回転してやる。
【００５９】
前記ねじ廻し部３ｄを回転すると、ボルト３ａの頭部に螺着している袋ナット３ｃが、前記ラックＲの下方水平線材１４の下方の外側周面部に当接し、同時に押圧支持して前記クランプ体ａが前記ラックＲの周縁壁部１２に確実にして、しかも強固に固定する。
【００６０】
前記のようにして固定された本考案の金属ラック用クランプＡを構成しているクランプ体ａの上辺に上向き開口部４を有する上方引掛け部５は、構造的に凹形状となっているので、種々の物品である、例えばかばんの取手とか、袋物類の紐とかを引掛け使用したりができる。
【００６１】
従って、引掛けるものは限定しない。
【００６２】
第２の使用例は以下のとおりである。
【００６３】
図面に図示せしめたように、クランプ体ａの引掛け部２をラックＲを構成する周縁壁部１２の上方水平線材１３に引掛けると共に、押圧支持部３を回転せしめて下方水平線材１４を押圧支持部した後、前記ポールｂを構成する下向き嵌挿部１１を前記クランプ体ａに螺着の締付けボルト６に跨ぐようにして嵌込むと、前記締付けボルト６の上方部に突設せしめられている上方係止部１０が、前記クランプ体ａの上向き開口部４を有する上方引掛け部５に嵌込んでストップ状態となる。
【００６４】
前記のように前記ポールｂがストップ状態となったら、前記締付けボルト６を回転せしめる。前記回転によって、前記ポールｂの下方部が前記クランプ体ａの表面部と密着し、前記ポールｂが固定される。
【００６５】
前記のようにしてセットされ固定されたポールｂの上方部の嵌挿孔１５に、吊下げ棒ｃを挿入する。そして前記上方締付け具１６を回動することによって、前記吊下げ棒ｃが固定される。
【００６６】
前記吊下げ棒ｃに所定のポスター１９をクリップ２０によって挾着すれば、前記ポスター１９は固持せしめられる。
【００６７】
さらに、前記ポールｂに形成せしめられている嵌挿孔１５の貫通方向の軸線と、ポールｂの下端部に形成せしめられている上方係止部１０と下向き嵌挿部１１を一体とする平板状固定部１０ａの平板面１０ｂとは、直角状になって形成されている。
【００６８】
以上、実施形態を図面に基づいて説明したが、本考案は、図示例の限りではなく、その技術的思想を逸脱しない範囲において、当業者が通常に行う設計変更、応用のバリエーションの範囲を含むことを念のために言及する。
【符号の説明】
【００６９】
Ａ      金属ラック用クランプ
Ｒ      ラック
ａ      クランプ体
ｂ      ポール
ｃ      吊下げ棒
１      一側方部
２      引掛け部
２ａ    突出部
３      押圧支持部
３ａ    ボルト
３ｂ    ねじ
３ｃ    袋ナット
３ｄ    ねじ廻し部
４      上向き開口部
５      上方引掛け部
６      締付けボルト
６ａ    ねじ
７      螺孔
８      板状取付け部
９      螺孔
１０    上方係止部
１０ａ  平板状固定部
１０ｂ  平板面
１１    下向き嵌挿部
１２    周縁壁部
１３    上方水平線材
１４    下方水平線材
１５    嵌挿孔
１５ａ  雌ねじ孔
１６    上方締付け具
１７    補強枠
１８    支柱
１９    ポスター
２０    クリップ
【図１】
0003208253.tif 000003
【図２】
0003208253.tif 000004
【図３】
0003208253.tif 000005
【図４】
0003208253.tif 000006
【図５】
0003208253.tif 000007
【図６】
0003208253.tif 000008
【図７】
0003208253.tif 000009
【図８】
0003208253.tif 000010
【図９】
0003208253.tif 000011
【図１０】
0003208253.tif 000012
【図１１】
0003208253.tif 000013
【図１２】
0003208253.tif 000014
【図１３】
0003208253.tif 000015
【図１４】
0003208253.tif 000016